(57)【要約】      （修正有）【課題】細いメッセンジャーワイヤに対しても支障なく機器を吊下げることができるケーブルテレビ用機器の吊下げ支持機構を提供する。【解決手段】ケーブルテレビ用機器のケーシングに設置されメッセンジャーワイヤを収容する溝１１３ｂと、この溝に対向配置されて該溝と協働することにより前記メッセンジャーワイヤを挟持する金具１１６とを有し、前記機器を前記メッセンジャーワイヤに吊下げ支持するための機構において、前記金具に組み合わされる補助金具であって、前記機器のケーシングに設けられ前記溝を含むワイヤ挟持部材１１３と前記金具１１６との間に介挿され、外径の細い前記メッセンジャーワイヤを前記溝に当接させる補助金具を備えたことを特徴とするケーブルテレビ用機器の吊下げ支持機構。【選択図】図１
0003140091.tif 000002
【実用新案登録請求の範囲】
【請求項１】
ケーブルテレビ用機器のケーシングに設置されメッセンジャーワイヤを収容する溝と、この溝に対向配置されて該溝と協働することにより前記メッセンジャーワイヤを挟持する金具とを有し、前記機器を前記メッセンジャーワイヤに吊下げ支持するための機構において、
前記金具に組み合わされる補助金具であって、前記機器のケーシングに設けられ前記溝を含むワイヤ挟持部材と前記金具との間に介挿され、外径の細い前記メッセンジャーワイヤを前記溝に当接させる補助金具を備えたことを特徴とするケーブルテレビ用機器の吊下げ支持機構。
【請求項２】
請求項１記載のケーブルテレビ用機器の吊下げ支持機構において、
前記補助金具は、前記金具との重なり合い構造を有することを特徴とするケーブルテレビ用機器の吊下げ支持機構。
【請求項３】
請求項１記載のケーブルテレビ用機器の吊下げ支持機構において、
前記補助金具は、一端が前記ケーシングに当接し、中央部がナット締めされて先端部が前記金具との間に前記メッセンジャーワイヤをくわえ込むためのガイド機能を有することを特徴とするケーブルテレビ用機器の吊下げ支持機構。
【請求項４】
請求項１記載のケーブルテレビ用機器の吊下げ支持機構において、
前記補助金具は、前記金具との位置合わせ構造を有することを特徴とするケーブルテレビ用機器の吊下げ支持機構。
【請求項５】
請求項４記載のケーブルテレビ用機器の吊下げ支持機構において、
前記補助金具は、前記金具の両側部を挟持する立上げ構造を有することを特徴とするケーブルテレビ用機器の吊下げ支持機構。
【請求項６】
請求項１記載のケーブルテレビ用機器の吊下げ支持機構において、
前記金具と前記補助金具との間に、挟みホルダを介して前記メッセンジャーワイヤを保持することを特徴とするケーブルテレビ用機器の吊下げ支持機構。
【考案の詳細な説明】
【技術分野】
【０００１】
本考案は、ケーブルテレビ用機器をメッセンジャーワイヤに吊下げ支持するための機構に係わり、とくに細いメッセンジャーワイヤに適合させる機構に関する。
【背景技術】
【０００２】
ケーブルテレビジョン・システムでは、ケーブルで送られた信号を各戸に分配するための分配器その他の機器をメッセンジャーワイヤに吊下げる必要がある。すなわち、機器には、メッセンジャーワイヤに吊下げるためのボルト締め式の支持構造が設けられており、この支持構造によって機器全体を適宜配置している（特許文献１参照）。
【０００３】
図５は、その一例を示したもので、機器ケーシング１００がメッセンジャーワイヤ２００に吊下げられた状態を示している。ケーシング１００は、本体１１０と蓋１２０とにより構成された防水容器であり、本体１１０の両端にある２つの幹線路および側面にある２つの分配路とを合わせて４つのケーブルコネクタ部１１２が設けられ、本体１１０の中央にメッセンジャーワイヤ２００に固定する機構を持った突起部１１３が形成されている。
【０００４】
突起部１１３には、その頂部に設けられた溝に、ボルト１１４、ナット１１５により固定される金具１１６が組み合わされてケーブル２００が固定される。
【０００５】
図６は、突起部本体１１３ａの頂部に設けられた溝１１３ｂおよび１１３ｃを拡大して示したもので、突起部１１３の頂部を形成する４辺のうち３辺には、メッセンジャーワイヤ２００を載置するため、および金具１１６の折り曲げ部１１６ｂが当接して位置決めするための溝１１３ｂ１が、また他の一辺には金具１１６の位置決め専用の溝１１３ｂ２が設けられている。
【特許文献１】特開平9-45389号公報
【考案の開示】
【考案が解決しようとする課題】
【０００６】
ところで、近年、メッセンジャーワイヤは、径のより細いものが使用されるようになっており、従来の太さに合わせて設置されている機器は、メッセンジャーワイヤに固定し難くなっている。
【０００７】
本考案は上述の点を考慮してなされたもので、細いメッセンジャーワイヤに対しても支障なく機器を吊下げることができるケーブルテレビ用機器の吊下げ支持機構を提供することを目的とする。
【課題を解決するための手段】
【０００８】
上記目的達成のため、本考案では、
ケーブルテレビ用機器のケーシングに設置されメッセンジャーワイヤを収容する溝と、この溝に対向配置されて該溝と協働することにより前記メッセンジャーワイヤを挟持する金具とを有し、前記機器を前記メッセンジャーワイヤに吊下げ支持するための機構において、
前記金具に組み合わされる補助金具であって、前記機器のケーシングに設けられ前記溝を含むワイヤ挟持部材と前記金具との間に介挿され、外径の細い前記メッセンジャーワイヤを前記溝に当接させる補助金具を備えたことを特徴とするケーブルテレビ用機器の吊下げ支持機構、
を提供するものである。
【考案の効果】
【０００９】
本考案は上述のように、ケーブルテレビ用機器の吊下げ機構に補助金具を追加したため、より外径の細いメッセンジャーワイヤであっても確実に挟持することができ、ケーブルテレビ用機器を確実に吊下げ支持することができる。
【考案を実施するための最良の形態】
【００１０】
以下、添付図面を参照して本考案の実施の形態を説明する。
【実施例１】
【００１１】
図１(a)，(b)は、本考案に係る、補助金具１１７を組み込んだ吊下げ支持機構の外観形状を示した斜視図および側面図である。この補助金具１１７は、図４により示した従来の構造における突起部１１３の頂部と金具１１６との間に介挿され、金具１１６と重なり合わされて協働しメッセンジャーワイヤ２００をくわえ込むものである。
【００１２】
すなわち、メッセンジャーワイヤ２００の支持部分を見れば判るように、金具１１６と補助金具１１７とによりメッセンジャーワイヤ２００を上下から挟持しており、この場合、溝１１３ｂはメッセンジャーワイヤ２００から離間していてメッセンジャーワイヤ２００を支持する機能は果たしていない。これは、補助金具１１７が、溝１１３ｂに置き換わってメッセンジャーワイヤ２００の下側を支持しているためである。
【００１３】
このために、補助金具１１７には、図示上側が凹状の受け部１１７ａが形成されており、この受け部１１７ａの図示左側は補助金具１１７を金具１１６と係合させて突起部１１３に対して正しい位置関係を持つための立上げ部１１７ｂを形成しており、図示右側は金具１１６との間に端部に向かって緩やかに開いていくガイド部１１７ｃを形成している。
【００１４】
立上げ部１１７ｂは、補助金具１１７の両側に対をなして設けられており、金具１１６の両側を挟持するものである。これにより補助金具１１７は、金具１１６と正確に位置合わせされ、金具１１６は、折り曲げ部１１６ｂが溝１１３ｂに当接して突起部１１３に対して正しい位置決めを行う。したがって、金具１１６、補助金具１１７が突起部１１３に対して正しく位置合わせされる。
【００１５】
また、補助金具１１７のガイド部１１７ｃは、金具１１６のガイド部１１６ｃとの間に端部に行くほど開いたガイド部を形成しており、メッセンジャーワイヤ２００を、金具１１６の図示下面にある凹状溝部１１６ａと補助金具１１７の受け部１１７ａとの間に押し込み易い構造を形成する。
【００１６】
したがって、メッセンジャーワイヤ２００を、金具１１６と補助金具１１７との間に押し込んで、ワッシャを嵌めた上でナット１１５を締めこむと、金具１１６と補助金具１１７との間にメッセンジャーワイヤ２００が強固に保持される。
【００１７】
図２は、補助金具１１７の形状を詳細に示した斜視図である。図２に示すように、補助金具１１７は、図示左半分が金具１１６とともに突起部１１３に固定されるための構造部分であり、その中央にボルト穴１１７ｄが明けられ、両側縁に立上げ部１１７ｂを有する。そして、図示右半分がメッセンジャーワイヤ２００を保持するための構造部分であり、ガイド部１１７ｃから受け部１１７ａにかけて横断面波状、つまり波板状に形成されている。
【００１８】
図３は、メッセンジャーワイヤが太く、補助金具１１７が不要な場合の補助金具１１７の処置方法を示した図である。この場合は、単に補助金具１１７を取外すこともできるが、それでは補助金具１１７を廃棄する必要がある。
【００１９】
それを避けるために、補助金具１１７を一旦取り出して金具１１６の上から立上げ部１１７ｂを下向きにして金具１１６とともにナット１１５によりボルト１１４に締付ける。これにより、補助金具１１７が金具１１６に正しく位置合わせされて固定され、廃棄処分をする必要がなくなる。
【実施例２】
【００２０】
図４は、本考案の実施例に組み合わせて用いることができる参考例を示したものである。この場合、本考案の補助金具１１７ではなく、楕円筒を２つ割りにした構造の介挿材１３０を用いている。楕円筒１３０は、例えば樹脂製とし、メッセンジャーワイヤ２００を挟み込んで溝１１３と金具１１６との間で挟持する。
【００２１】
この図４に示す参考例では補助金具１１７を用いていないが、適当な補助金具１１７を用いるとともに介挿材１３０を用いれば、メッセンジャーワイヤ２００が相当に細くても対応することができる。その場合は、本考案の実施例２となる。
【図面の簡単な説明】
【００２２】
【図１】図１(a)，(b)は、本考案の一実施例の構成を示す斜視図および側面図。
【図２】図１に示した実施例に用いる補助金具を示す斜視図。
【図３】図２に示した補助金具によってメッセジャーワイヤを挟持しない場合の補助金具の取付け方を示す斜視図。
【図４】本考案の実施例に用い得る参考例を示す斜視図。
【図５】従来のケーブルテレビ用機器の吊下げ構造を示す斜視図。
【図６】図５の構造を拡大して示した斜視図。
【符号の説明】
【００２３】
１００  機器ケーシング、１１０  本体、１１１  蓋、
１１２  ケーブルコネクタ部、１１３  突起部、１１３ａ  突起部本体、
１１３ｂ  溝、１１４  ボルト、１１５  ナット、１１６  金具、
１１６ａ  受け部、１１６ｂ  折り曲げ部、１１６ｃ  ガイド部、
１１７  補助金具、１１７ａ  受け部、１１７ｂ  立上げ部、
１１７ｃ  ガイド部、１１７ｄ  ボルト穴、１２０  蓋、１３０  介挿材、
２００  メッセンジャーワイヤ。
【図１】
0003140091.tif 000003
【図２】
0003140091.tif 000004
【図３】
0003140091.tif 000005
【図４】
0003140091.tif 000006
【図５】
0003140091.tif 000007
【図６】
0003140091.tif 000008